(57)【特許請求の範囲】
【請求項１】
第１プロトコル及び第２プロトコルの少なくともいずれか一方により音声入出力装置と近距離無線通信を行う近距離無線通信部と、
基地局と無線通信を行う無線通信部と、
着信音データ及び音声データを記憶する記憶部と、
前記近距離無線通信部が前記音声データを前記音声入出力装置に前記第１プロトコルにより送信している場合に、前記無線通信部において着信を検知したとき、前記近距離無線通信部の前記第１プロトコルによる該音声データの送信を中断させるとともに、前記近距離無線通信部に前記着信音データを前記音声入出力装置に前記第１プロトコルにより送信させ、かつ、前記第２プロトコルによる前記音声入出力装置との通信接続の確立を試行する制御部と、を備え、
前記制御部は、
前記近距離無線通信部が前記着信音データを前記音声入出力装置に前記第１プロトコルにより送信している場合に、前記第１プロトコルに係る操作信号を前記音声入出力装置から受信したとき、当該操作信号に応じた処理を行わない携帯端末装置。
【請求項２】
前記制御部は、
前記第２プロトコルによる通信接続が確立したことに応じて、通信接続が確立した時点の前記着信音データに対応する着信音の再生位置を前記記憶部に記憶させ、当該着信音データの再生を中断するとともに、前記第２プロトコルに切り替え、前記記憶部に記憶されている前記再生位置に対応させて前記着信音データを再生して前記音声入出力装置に送信する請求項１に記載の携帯端末装置。
【請求項３】
前記制御部は、
前記第２プロトコルの通信接続が確立した後、前記近距離無線通信部が前記第１プロトコルにより前記着信音データを再生して前記音声入出力装置に送信している場合に、前記近距離無線通信部により前記第２プロトコルに係る操作信号を受信したことに応じて、前記第１プロトコルによる前記着信音データの再生を停止するととともに、第２プロトコルにより音声通信を開始する請求項１に記載の携帯端末装置。
【請求項４】
前記制御部は、
前記無線通信部において前記着信を検知した場合に、前記着信を検知した時点の前記音声データの出力位置を前記記憶部に記憶させ、
前記着信に係る通話が終了した場合に、前記第１プロトコルに切り替え、前記記憶部に記憶されている前記音声データの出力位置に対応させて前記音声データを前記音声入出力装置に送信する請求項１から３のいずれか１項に記載の携帯端末装置。
【請求項５】
前記近距離無線通信は、Ｂｌｕｅｔｏｏｔｈ（登録商標）であり、前記第１プロトコルは、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）又はＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）のいずれかであり、前記第２プロトコルは、ＨＦＰ（Ｈａｎｄｓ−Ｆｒｅｅ  Ｐｒｏｆｉｌｅ）又はＨＳＰ（Ｈｅａｄｓｅｔ  Ｐｒｏｆｉｌｅ）のいずれかである請求項１から３のいずれか１項に記載の携帯端末装置。
【請求項６】
少なくともマイクを有する音声入出力機器と、前記音声入出力機器と無線通信を行う携帯端末装置とを備えた無線通信システムであって、
前記携帯端末装置は、
第１プロトコル及び第２プロトコルの少なくともいずれか一方により音声入出力装置と近距離無線通信を行う第１近距離無線通信部と、
基地局と無線通信を行う無線通信部と、
着信音データ及び音声データを記憶する記憶部と、
前記第１近距離無線通信部が前記音声データを前記音声入出力装置に前記第１プロトコルにより送信している場合に、前記無線通信部において着信を検知したとき、前記第１近距離無線通信部の前記第１プロトコルによる該音声データの出力を中断させるとともに、前記第１近距離無線通信部に前記着信音データを前記音声入出力装置に前記第１プロトコルにより送信させ、かつ、前記第２プロトコルによる前記音声入出力装置との通信接続の確立を試行する第１制御部と、を備え、
前記第１制御部は、
前記第１近距離無線通信部が前記着信音データを前記音声入出力装置に前記第１プロトコルにより送信している場合に、前記第１プロトコルに係る操作信号を前記音声入出力装置から受信したとき、当該操作信号に応じた処理を行わず、
前記音声入出力装置は、
出音部と、
前記第１プロトコル及び前記第２プロトコルの少なくともいずれか一方により前記携帯端末装置と近距離無線通信を行う第２近距離無線通信部と、
前記着信音データ又は前記音声データを前記第２近距離無線通信部の前記第１プロトコル又は前記第２プロトコルにより受信したことに応じて、受信した前記着信音データ又は前記音声データに対応する音を前記出音部に出音させる第２制御部とを備える無線通信システム。
【請求項７】
前記第１制御部は、
前記無線通信部において前記着信を検知した場合に、前記着信を検知した時点の前記音声データの出力位置を前記記憶部に記憶させ、
前記着信に係る通話が終了した場合に、前記第１プロトコルに切り替え、前記記憶部に記憶されている前記音声データの出力位置に対応させて前記音声データを前記音声入出力装置に送信する請求項６に記載の無線通信システム。
【請求項８】
前記近距離無線通信は、Ｂｌｕｅｔｏｏｔｈであり、前記第１プロトコルは、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）又はＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）のいずれかであり、前記第２プロトコルは、ＨＦＰ（Ｈａｎｄｓ−Ｆｒｅｅ  Ｐｒｏｆｉｌｅ）又はＨＳＰ（Ｈｅａｄｓｅｔ  Ｐｒｏｆｉｌｅ）のいずれかである請求項６又は７に記載の無線通信システム。
【発明の詳細な説明】
【技術分野】
【０００１】
本発明は、近距離無線通信を行う携帯端末装置及び無線通信システムに関する。
【背景技術】
【０００２】
近年、楽曲等の音声データを記憶し、この音声データを出力させることにより楽曲等を聴くことができる携帯端末装置が普及している。ユーザがこのような携帯端末装置で音声データを出力させる場合、ユーザは、この携帯端末装置に音声入出力装置としてヘッドセット等を接続し、このヘッドセット等を介して視聴する。
【０００３】
ヘッドセットには、Ｂｌｕｅｔｏｏｔｈ（登録商標）等の近距離無線通信により、携帯端末装置と通信を行うものがある。このようなヘッドセットは、Ｂｌｕｅｔｏｏｔｈに設けられているＡ２ＤＰ（Ａｄｖａｎｃｅｄ  Ａｕｄｉｏ  Ｄｉｓｔｒｉｂｕｔｉｏｎ  Ｐｒｏｆｉｌｅ）、ＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）といったプロトコルにより、主に音声データの近距離無線通信を行い、ＨＦＰ（Ｈａｎｄｓ−Ｆｒｅｅ  Ｐｒｏｆｉｌｅ）、ＨＳＰ（Ｈｅａｄｓｅｔ  Ｐｒｏｆｉｌｅ）といったプロトコルにより、主に通話データの近距離無線通信を行う。
【０００４】
このようなヘッドセットを携帯端末装置に接続している場合に、携帯端末装置が着信を受けた場合、ヘッドセットに着信音データを送信させて、ユーザに着信を知らせることが提案されている。例えば、特許文献１に記載の携帯端末装置は、この携帯端末装置に接続されたヘッドセットに対してＡ２ＤＰやＡＶＲＣＰにより音楽データを送信している場合、以下のようにして着信音データをヘッドセットに送信する。
【０００５】
すなわち、特許文献１に記載の携帯端末装置は、外部から着信を受けたことに応じて、Ａ２ＤＰやＡＶＲＣＰにより着信音に対応する着信音データをヘッドセットに送信するとともに、ＨＳＰやＨＦＰの通信接続を行う。そして、特許文献１に記載の携帯端末装置は、ＨＳＰやＨＦＰの通信接続が確立されたことに応じて、ＨＳＰやＨＦＰにより着信音データをヘッドセットに送信する（例えば、特許文献１）。
【先行技術文献】
【特許文献】
【０００６】
【特許文献１】特開２００８−１８７６１９号公報
【発明の概要】
【発明が解決しようとする課題】
【０００７】
ところで、Ａ２ＤＰやＡＶＲＣＰは、音楽データ等の高音質の音声データの出力（再生）に用いられるものであり、ヘッドセットにより着信音データの再生制御を行うことができる。よって、特許文献１に記載の携帯端末装置では、Ａ２ＤＰやＡＶＲＣＰにより、着信音データを送信する場合、ヘッドセットにより着信音データの再生を制御することが可能となり、ユーザに違和感を与えてしまう。
【０００８】
また、特許文献１に記載の携帯端末装置では、Ａ２ＤＰやＡＶＲＣＰによる着信音データと、ＨＳＰやＨＦＰによる着信音データを別々に記憶している。また、特許文献１に記載の携帯端末装置は、着信音データを送信するプロトコルを切り替える場合に、着信音の再生位置の制御を行わない。よって、特許文献１に記載の携帯端末装置は、Ａ２ＤＰやＡＶＲＣＰによる着信音データの送信から、ＨＦＰやＨＳＰによる着信音データの送信に切り替える際に、着信音の再生位置が異なってしまい、この結果、ユーザに違和感を与えてしまう。
【０００９】
本発明は、音声データの出力時に、着信を受けた場合に、ユーザに違和感を与えることなく着信音データの近距離無線通信を行うことができる携帯端末装置及び無線通信システムを提供することを目的とする。
【課題を解決するための手段】
【００１０】
本発明に係る携帯端末装置は、第１プロトコル及び第２プロトコルの少なくともいずれか一方により音声入出力装置と近距離無線通信を行う近距離無線通信部と、基地局と無線通信を行う無線通信部と、着信音データ及び音声データを記憶する記憶部と、前記近距離無線通信部が前記音声データを前記音声入出力装置に前記第１プロトコルにより送信している場合に、前記無線通信部において着信を検知したとき、前記近距離無線通信部の前記第１プロトコルによる該音声データの送信を中断させるとともに、前記近距離無線通信部に前記着信音データを前記音声入出力装置に前記第１プロトコルにより送信させ、かつ、前記第２プロトコルによる前記音声入出力装置との通信接続の確立を試行する制御部と、を備え、前記制御部は、前記近距離無線通信部が前記着信音データを前記音声入出力装置に前記第１プロトコルにより送信している場合に、前記第１プロトコルに係る操作信号を前記音声入出力装置から受信したとき、当該操作信号に応じた処理を行わない。
【００１１】
また、前記制御部は、前記第２プロトコルによる通信接続が確立したことに応じて、通信接続が確立した時点の前記着信音データに対応する着信音の再生位置を前記記憶部に記憶させ、当該着信音データの再生を中断するとともに、前記第２プロトコルに切り替え、前記記憶部に記憶されている前記再生位置に対応させて前記着信音データを再生して前記音声入出力装置に送信することが好ましい。
【００１２】
また、前記制御部は、前記第２プロトコルの通信接続が確立した後、前記近距離無線通信部が前記第１プロトコルにより前記着信音データを再生して前記音声入出力装置に送信している場合に、前記近距離無線通信部により前記第２プロトコルに係る操作信号を受信したことに応じて、前記第１プロトコルによる前記着信音データの再生を停止するととともに、第２プロトコルにより音声通信を開始することが好ましい。
【００１３】
また、前記制御部は、前記無線通信部において前記着信を検知した場合に、前記着信を検知した時点の前記音声データの出力位置を前記記憶部に記憶させ、前記着信に係る通話が終了した場合に、前記第１プロトコルに切り替え、前記記憶部に記憶されている前記音声データの出力位置に対応させて前記音声データを前記音声入出力装置に送信することが好ましい。
【００１４】
また、前記近距離無線通信は、Ｂｌｕｅｔｏｏｔｈであり、前記第１プロトコルは、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）又はＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）のいずれかであり、前記第２プロトコルは、ＨＦＰ（Ｈａｎｄｓ−Ｆｒｅｅ  Ｐｒｏｆｉｌｅ）又はＨＳＰ（Ｈｅａｄｓｅｔ  Ｐｒｏｆｉｌｅ）のいずれかであることが好ましい。
【００１５】
本発明に係る無線通信システムは、少なくともマイクを有する音声入出力機器と、前記音声入出力機器と無線通信を行う携帯端末装置とを備えた無線通信システムであって、前記携帯端末装置は、第１プロトコル及び第２プロトコルの少なくともいずれか一方により音声入出力装置と近距離無線通信を行う第１近距離無線通信部と、基地局と無線通信を行う無線通信部と、着信音データ及び音声データを記憶する記憶部と、前記第１近距離無線通信部が前記第１プロトコルにより前記音声データを出力して前記音声入出力装置に送信している場合に、前記無線通信部において着信を検知したとき、前記第１近距離無線通信部の前記第１プロトコルによる該音声データの出力を中断させるとともに、前記第１近距離無線通信部に前記第１プロトコルにより前記着信音データを再生して前記音声入出力装置に送信させ、かつ、前記第２プロトコルによる前記音声入出力装置との通信接続の確立を試行する第１制御部と、を備え、前記第１制御部は、前記第１近距離無線通信部が前記第１プロトコルにより前記着信音データを再生して前記音声入出力装置に送信している場合に、前記第１プロトコルに係る操作信号を前記音声入出力装置から受信したとき、当該操作信号に応じた処理を行わず、前記音声入出力装置は、出音部と、前記第１プロトコル及び前記第２プロトコルの少なくともいずれか一方により前記携帯端末装置と近距離無線通信を行う第２近距離無線通信部と、前記着信音データ又は前記音声データを前記第２近距離無線通信部の前記第１プロトコル又は前記第２プロトコルにより受信したことに応じて、受信した前記着信音データ又は前記音声データに対応する音を前記出音部に出音させる第２制御部とを備える。
【００１６】
また、前記第１制御部は、前記無線通信部において前記着信を検知した場合に、前記着信を検知した時点の前記音声データの出力位置を前記記憶部に記憶させ、前記着信に係る通話が終了した場合に、前記第１プロトコルに切り替え、前記記憶部に記憶されている前記音声データの出力位置に対応させて前記音声データを前記音声入出力装置に送信することが好ましい。
【００１７】
また、前記近距離無線通信は、Ｂｌｕｅｔｏｏｔｈであり、前記第１プロトコルは、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）又はＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）のいずれかであり、前記第２プロトコルは、ＨＦＰ（Ｈａｎｄｓ−Ｆｒｅｅ  Ｐｒｏｆｉｌｅ）又はＨＳＰ（Ｈｅａｄｓｅｔ  Ｐｒｏｆｉｌｅ）のいずれかであることが好ましい。
【発明の効果】
【００１８】
本発明によれば、音声データの出力時に、着信を受けた場合に、ユーザに違和感を与えることなく着信音データの近距離無線通信を行うことができる。
【図面の簡単な説明】
【００１９】
【図１】本実施形態に係る無線通信システムの構成を示す図である。
【図２】本実施形態に係る携帯電話機及びヘッドセットの機能構成を示すブロック図である。
【図３】本実施形態に係る携帯電話機がヘッドセットに着信音データを送信する場合のタイムチャートである。
【図４】本実施形態に係る携帯電話機からヘッドセットに着信音データを送信する処理の流れを示すフローチャートである。
【図５】本実施形態に係る携帯電話機がヘッドセットから操作信号を受信した場合の処理の流れを示すフローチャートである。
【発明を実施するための形態】
【００２０】
以下、図面を参照して本発明を実施するための形態を説明する。
図１は、本実施形態に係る無線通信システム１の構成を示す図である。
無線通信システム１は、携帯端末装置としての携帯電話機１０と、この携帯電話機１０と近距離無線通信を行うヘッドセット２０と、この携帯電話機１０と無線通信を行う基地局３０と、を備える。
【００２１】
携帯電話機１０は、ヘッドセット２０に対する音声データの出力時に、基地局３０を介して着信を受けた場合に、着信音データを再生させて、ヘッドセット２０に対して近距離無線通信により着信音を送信する。
【００２２】
図２は、本実施形態に係る携帯電話機１０及びヘッドセット２０の機能構成を示すブロック図である。
携帯電話機１０は、表示部１１と、第１操作部１２と、第１出音部１３と、第１集音部１４と、無線通信部１５と、第１近距離無線通信部１６と、第１記憶部１７と、第１制御部１８と、を備える。
【００２３】
表示部１１は、第１制御部１８の制御に従って、所定の画像処理を行い、処理後の画像データをフレームメモリ（図示省略）に蓄え、所定のタイミングでディスプレイに出力する。
【００２４】
第１操作部１２は、各種設定やインターネット機能やメール機能等の各種機能を動作させるための機能設定操作ボタン、電話番号の数字やメール等の文字等を入力するための入力操作ボタン、各種操作における決定やスクロール等を行う決定操作ボタン等から構成される。第１操作部１２は、ユーザから各種指示入力を受け付け、受け付けられた入力情報を第１制御部１８に供給する。
【００２５】
第１出音部１３は、第１制御部１８の制御に従って、無線通信部１５から供給された信号に対して所定の音声処理を行い、処理後の信号を携帯電話機１０に設けられているスピーカ（図示せず）に出力する。また、第１集音部１４は、第１制御部１８の制御に従って、マイク（図示せず）から入力された信号を処理し、処理後の信号を無線通信部１５へ出力する。
【００２６】
無線通信部１５は、第１使用周波数帯（例えば、２ＧＨｚ帯や８００ＭＨｚ帯等）で基地局３０と無線通信を行う。また、無線通信部１５は、アンテナ（図示せず）より受信した信号を復調処理し、処理後の信号を第１制御部１８に供給する。また、無線通信部１５は、第１制御部１８から供給された信号を変調処理し、基地局３０に送信する。
【００２７】
第１近距離無線通信部１６は、第２使用周波数帯（例えば、２．４ＧＨｚ帯等）で、第１プロトコル及び第２プロトコルの少なくともいずれか一方により、携帯電話機１０から所定距離（例えば、１０メートル）以内で通信接続されているヘッドセット２０と近距離無線通信を行う。具体的には、第１近距離無線通信部１６は、第１プロトコルにより、第１制御部１８により出力された音声データをヘッドセット２０に送信する。また、第１近距離無線通信部１６は、第１プロトコル又は第２プロトコルにより、第１制御部１８により再生された着信音データを、ヘッドセット２０に送信する。また、第１近距離無線通信部１６は、第２プロトコルにより、第１制御部１８により出力された通話に係るデータとしての通話データを、ヘッドセット２０に送信する。
【００２８】
ここで、第１近距離無線通信部１６は、例えば、Ｂｌｕｅｔｏｏｔｈにより実現される。また、第１プロトコルは、例えば、Ａ２ＤＰ（Ａｄｖａｎｃｅｄ  Ａｕｄｉｏ  Ｄｉｓｔｒｉｂｕｔｉｏｎ  Ｐｒｏｆｉｌｅ）又はＡＶＲＣＰ（Ａｕｄｉｏ  Ｖｉｄｅｏ  Ｒｅｍｏｔｅ  Ｃｏｎｔｒｏｌ  Ｐｒｏｆｉｌｅ）の少なくともいずれか一方により実現され、主に音楽データ等の高音質の音声データの近距離無線通信に用いられる。第２プロトコルは、ＨＦＰ（Ｈａｎｄｓ−Ｆｒｅｅ  Ｐｒｏｆｉｌｅ）又はＨＳＰ（Ｈｅａｄｓｅｔ  Ｐｒｏｆｉｌｅ）の少なくともいずれか一方により実現され、通話データ等の近距離無線通信に用いられる。
【００２９】
第１記憶部１７は、例えば、ワーキングメモリを含み、第１制御部１８による演算処理に利用される。また、第１記憶部１７は、主に娯楽を目的として視聴されるデータとして、音声データを記憶する。また、第１記憶部１７は、携帯電話機１０のユーザに着信を通知することを目的として着信時に出音されるデータとして、着信音データを記憶する。ここで、音声データは、音楽データや、動画データにおける音声に係るデータを含むものとする。
【００３０】
第１制御部１８は、携帯電話機１０の全体を制御しており、例えば、表示部１１、第１出音部１３、無線通信部１５、第１近距離無線通信部１６等に対して所定の制御を行う。また、第１制御部１８は、第１操作部１２、第１集音部１４等から入力を受け付けて、各種処理を実行する。また、第１制御部１８は、処理実行の際には、第１記憶部１７を制御し、各種プログラム及びデータの読み出し、並びにデータの書き込みを行う。
【００３１】
本実施形態に係る携帯電話機１０では、上述したように、ヘッドセット２０に対する音声データの出力時に、基地局３０を介して着信を受けた場合に、着信音データを再生させて、ヘッドセット２０に対して近距離無線通信により着信音を送信する。以下に、携帯電話機１０にヘッドセット２０が接続されている場合における、第１近距離無線通信部１６及び第１制御部１８の動作について説明する。
【００３２】
第１制御部１８は、音声データをヘッドセット２０に第１プロトコルにより送信している場合に、無線通信部１５において着信を検知したとき、第１近距離無線通信部１６の第１プロトコルによる音声データの出力を中断させるとともに、第１近距離無線通信部１６に着信音データをヘッドセット２０に第１プロトコルにより送信させ、かつ、第２プロトコルによるヘッドセット２０との通信接続の確立を試行する。
【００３３】
具体的な処理について、適宜、図３を参照しながら説明を行う。図３は、本実施形態に係る携帯電話機１０がヘッドセット２０に着信音データを送信する場合のタイムチャートである。
【００３４】
図３に示される時刻Ｔ０において、第１制御部１８は、第１近距離無線通信部１６によって、第１プロトコルにより音声データを送信する。具体的には、第１操作部１２又はヘッドセット２０を介して第１記憶部１７に記憶されている音声データの出力操作が行われた場合、第１制御部１８は、音声データを出力することで得られる音声信号を、第１近距離無線通信部１６によって、第１プロトコルをによりヘッドセット２０に送信する。
【００３５】
続いて、図３に示される時刻Ｔ１において、第１制御部１８は、第１近距離無線通信部１６によって、第１プロトコルにより着信音データを送信する。具体的には、第１制御部１８は、第１近距離無線通信部１６により、ヘッドセット２０に音声データに係る音声信号を送信している場合に、無線通信部１５において着信を検知したとき、音声データの出力を中断する。また、第１制御部１８は、第１近距離無線通信部１６の第１プロトコルによる音声信号の送信を中断させる。続いて、第１制御部１８は、第１記憶部１７に記憶されている着信音データを再生し、着信音データを再生することで得られる音声信号を、第１近距離無線通信部１６によって、第１プロトコルによりヘッドセット２０に送信する。続いて、第１制御部１８は、第２プロトコルによるヘッドセット２０との通信接続の確立を試行する。
【００３６】
なお、第１制御部１８は、第１近距離無線通信部１６が第１プロトコルにより着信音データを再生してヘッドセット２０に送信している場合に、第１プロトコルによる操作信号をヘッドセット２０から受信したとき、この操作信号に応じた処理を行わない。
【００３７】
具体的には、第１制御部１８は、第１近距離無線通信部１６により、ヘッドセット２０に着信音データに係る音声信号を送信している場合に、第１近距離無線通信部１６が第１プロトコルに係る操作信号をヘッドセット２０から受信したとき、この操作信号に応じた処理を行わないように制御する。
【００３８】
ここで、着信音データは、着信通知用としたデータであり、主に娯楽を目的とした音声データに対して、用途が異なるものである。このため、着信音データの停止や早送りといった再生に係る操作を有効にすると、携帯電話機１０のユーザが着信音データの再生制御を行うことができ、携帯電話機１０のユーザに対して、違和感を与えてしまう。
【００３９】
これに対し、携帯電話機１０は、着信通知を示す着信音データの停止や早送りといった再生に係る操作を無効とすることで、音声データの出力時に、着信を受けた場合に、ユーザに違和感を与えることなく着信音データの近距離無線通信を行うことができる。また、携帯電話機１０は、第１プロトコル及び第２プロトコルで同時に出音に係る処理を行うことによる競合を防止することができる。
【００４０】
また、第１制御部１８は、音声データの出力を中断する場合と、着信音データを再生する場合とにおいて、フェード処理（フェードイン、フェードアウト）を行っても良い。このようにすることで、携帯電話機１０は、音声データの再生から着信音データの再生への移行をスムーズに演出することができる。
【００４１】
また、図３に示される時刻Ｔ２において、第１制御部１８は、第１近距離無線通信部１６によって、第２プロトコルにより着信音データを送信する。具体的には、第１制御部１８は、第２プロトコルによる通信接続が確立したことに応じて、通信接続が確立した時点の着信音データに対応する着信音の再生位置を第１記憶部１７に記憶させ、この着信音データの再生を中断するとともに、第２プロトコルに切り替え、第１記憶部１７に記憶されている再生位置に対応させて着信音データを再生してヘッドセット２０に送信する。
【００４２】
すなわち、第１制御部１８は、図３に示される時刻Ｔ２において、第２プロトコルの通信接続が確立したことに応じて、通信接続が確立した時点の着信音データに対応する着信音の再生位置を示す情報を第１記憶部１７に一時的に記憶させる。続いて、第１制御部１８は、第１プロトコルをによりヘッドセット２０に送信されている着信音データの再生を中断するとともに、着信音データを送信するプロトコルを第１プロトコルから第２プロトコルに切り替える。続いて、第１制御部１８は、第１記憶部１７に記憶されている着信音の再生位置に対応させて着信音データを再生し、第１近距離無線通信部１６によって、第２プロトコルにより、着信音データを送信する。続いて、第１制御部１８は、第１記憶部１７に記憶されている着信音の再生位置を示す情報を消去させる。
【００４３】
なお、再生位置を記憶させる処理、第１プロトコルによる再生を中断する処理、プロトコルを切り替える処理、及び第２プロトコルにより着信音データを送信する処理は、時刻Ｔ２において順番に実行されるものとする。つまり、第１制御部１８は、上述の一連の処理を、携帯電話機１０のユーザが、これらの切り替えに違和感を与えないと想定される期間（例えば、数ミリ秒以下の期間）で実行するものとする。
【００４４】
ところで、着信を検知した場合に、着信音データを第２プロトコルで送信させるときには、第２プロトコルの通信接続が確立されるまでの期間（図３に示す例では、Ｔ１からＴ２までの期間）において、無音状態となってしまう。
【００４５】
これに対して、携帯電話機１０は、第２プロトコルの通信接続が確立される前に、第１プロトコルにより着信音データを送信し、第２プロトコルの通信接続が確立されてから、第１プロトコルから第２プロトコルに切り替え、第２プロトコルにより着信音データを送信する。よって、携帯電話機１０は、第２プロトコルの通信接続が確立されるまでの期間についても着信音データを送信するので、無音状態の期間を無くすことができ、結果として、ユーザに違和感を与えることなく着信音データの近距離無線通信を行うことができる。
【００４６】
なお、第１制御部１８は、第２プロトコルの通信接続が確立した後、第１近距離無線通信部１６が第１プロトコルにより着信音データを再生してヘッドセット２０に送信している場合に、第１近距離無線通信部１６により第２プロトコルに係る操作信号を受信したことに応じて、第１プロトコルによる着信音データの再生を停止するとともに、第２プロトコルにより音声通信を開始するようにしてもよい。
【００４７】
具体的には、第２プロトコルの通信接続が確立した後、第１近距離無線通信部１６によって、着信音データに係る音声信号を、第１プロトコルによりヘッドセット２０に送信している場合に、第１近距離無線通信部１６が第２プロトコルに係る操作信号として通話開始信号をヘッドセット２０から受信したとき、第１制御部１８は、第１プロトコルによる着信音データの再生を停止するとともに、第２プロトコルにより、着信に対応する音声通話を開始するようにしてもよい。
【００４８】
このようにすることで、携帯電話機１０は、通話が開始される操作が行われるまで、第１近距離無線通信部１６によって、第１プロトコルにより着信音データを送信させるので、着信音データを送信する際にプロトコルの切り替えが発生しない。つまり、携帯電話機１０は、着信音データを途切れさせることなく送信できるので、この携帯電話機１０のユーザに違和感を与えることなく、着信音データをヘッドセット２０に送信することができる。また、携帯電話機１０は、バックグラウンドで第２プロトコルへの通信接続の確立を行うので、通話開始信号をヘッドセット２０から受信したとき、第２プロトコルの通信接続が確立している状態である場合に、円滑に通話状態に移行することができる。
【００４９】
また、第１制御部１８は、着信に係る通話が終了した場合に、着信前にヘッドセット２０に送信していた音声データを送信するようにしてもよい。
【００５０】
具体的には、第１制御部１８は、無線通信部１５において着信を検知した場合に、着信を検知した時点の音声データの出力位置を第１記憶部１７に記憶させる。続いて、第１制御部１８は、着信に係る通話が終了した場合に、第２プロトコルから第１プロトコルに切り替え、第１記憶部１７に記憶されている音声データの出力位置に対応させて音声データをヘッドセット２０に送信する。続いて、第１制御部１８は、第１記憶部１７に記憶されている音声データの出力位置を示す情報を消去させる。
【００５１】
このようにすることで、携帯電話機１０は、通話が終了した後に着信前にヘッドセット２０に送信していた音声データを送信するので、通話が終了した後に、ユーザに携帯電話機１０を着信直前の状態に戻す操作を省略させて、利便性を向上させることができる。
【００５２】
ヘッドセット２０は、図２に示すように、第２操作部２２と、第２出音部２３と、第２集音部２４と、第２近距離無線通信部２６と、第２記憶部２７と、第２制御部２８と、を備える。
【００５３】
第２操作部２２は、ヘッドセット２０のユーザ、すなわち、本実施形態における携帯電話機１０のユーザから操作を受け付ける。図示は省略するが、第２操作部２２は、ヘッドセット２０に設けられる複数のボタンにより構成される。
これら複数のボタンは、それぞれ、第１プロトコル専用のボタンと、第２プロトコル専用のボタンである。
【００５４】
なお、これら複数のボタンは、第１プロトコルにより音声データが送信されている場合、第１プロトコルに対応する操作を受け付け、着信音が出音され、かつ、第２プロトコルの通信接続が確立されている場合、第２プロトコル操作に対応する操作を受け付けることとしてもよい。なお、それぞれの複数のボタンを接続が確立されているプロトコルに応じて変更させる機能は、第２制御部２８により実現される。
【００５５】
第２出音部２３は、第２制御部２８の制御に従って、後述の第２近距離無線通信部２６から供給された信号に対して所定の音声処理を行い、処理後の信号をヘッドセット２０に設けられているスピーカ（図示せず）に出力する。
第２集音部２４は、第２制御部２８の制御に従って、ヘッドセット２０に設けられているマイク（図示せず）から入力された信号を処理し、処理後の信号を第２近距離無線通信部２６へ出力する。
【００５６】
第２近距離無線通信部２６は、第２使用周波数帯（例えば、２．４ＧＨｚ帯等）で、第１プロトコル及び第２プロトコルの少なくともいずれか一方により、携帯電話機１０と近距離無線通信を行う。具体的には、第２近距離無線通信部２６は、携帯電話機１０から、第１プロトコルにより音声データを受信し、この音声データを第２出音部２３に送信する。また、第２近距離無線通信部２６は、携帯電話機１０から第１プロトコル又は第２プロトコルにより着信音データを受信して、第２出音部２３に送信する。また、第２近距離無線通信部２６は、第２集音部２４から入力された信号を、第２プロトコルにより携帯電話機１０に送信する。
【００５７】
第２記憶部２７は、ヘッドセット２０を機能させるために第２制御部２８に読み出される各種プログラム及びデータ（図示省略）等を記憶する。
【００５８】
第２制御部２８は、ヘッドセット２０の全体を制御しており、例えば、第２出音部２３、第２近距離無線通信部２６等に対して所定の制御を行う。また、第２制御部２８は、第２操作部２２、第２集音部２４等から入力を受け付けて、各種処理を実行する。また、第２制御部２８は、処理実行の際には、第２記憶部２７を制御し、各種プログラム及びデータの読み出しを行う。
【００５９】
また、第２制御部２８は、第２操作部２２を構成する複数のボタンを接続が確立されているプロトコルに応じて操作信号を変更させる場合、以下の処理を行う。すなわち、第２制御部２８は、第１プロトコルにより携帯電話機１０と接続されている場合に、第２操作部２２による操作が行われたとき、この操作に応じた第１プロトコルの操作信号を、第２近距離無線通信部２６に、第１プロトコルによって携帯電話機１０に送信させる。また、第２制御部２８は、着信音が出音され、かつ、第２プロトコルの通信接続が確立されている場合に、第２操作部２２による操作が行われたとき、この操作に応じた第２プロトコルの操作信号を、第２近距離無線通信部２６に、第２プロトコルによって携帯電話機１０に送信させる。
【００６０】
また、第２制御部２８は、着信音データ又は音声データを第２近距離無線通信部２６の第１プロトコル又は第２プロトコルにより受信したことに応じて、受信した着信音データ又は通話データに対応する音を第２出音部２３に出音させる。
【００６１】
続いて、図４〜図５を参照して、携帯電話機１０に係る処理の流れについて説明する。
図４は、本実施形態に係る携帯電話機１０からヘッドセット２０に着信音データを送信する処理の流れを示すフローチャートである。なお、ここでは、携帯電話機１０からヘッドセット２０に第１プロトコルにより音声データが送信されているものとする。
【００６２】
ステップＳ１１において、第１制御部１８は、無線通信部１５が着信を検知したか否かを判定する。第１制御部１８は、この判定がＹＥＳの場合、ステップＳ１２に処理を移し、この判定がＮＯの場合、ステップＳ１１の処理を再び実行する。
【００６３】
ステップＳ１２において、第１制御部１８は、音声データの出力を中断することで、第１近距離無線通信部１６の第１プロトコルによる音声信号の出力を中断させる。
ステップＳ１３において、第１制御部１８は、第１記憶部１７に記憶されている着信音データを再生する。
【００６４】
ステップＳ１４において、第１制御部１８は、第１近距離無線通信部１６により、第１プロトコルで着信音データをヘッドセット２０に送信する。すなわち、第１制御部１８は、ステップＳ１３において着信音データを再生することで得られる音声信号を、第１近距離無線通信部１６によって、第１プロトコルによりヘッドセット２０に送信する。
【００６５】
ステップＳ１５において、第１制御部１８は、第２プロトコルによるヘッドセット２０との通信接続の確立を試行する。
ステップＳ１６において、第１制御部１８は、第２プロトコルの通信接続が確立したか否かを判定する。第１制御部１８は、この判定がＹＥＳの場合、ステップＳ１７に処理を移し、この判定がＮＯの場合、ステップＳ１５に処理を移す。
【００６６】
ステップＳ１７において、第１制御部１８は、通信接続が確立した時点の、着信音データに対応する着信音の再生位置を第１記憶部１７に記憶させる。
ステップＳ１８において、第１制御部１８は、第１プロトコルによりヘッドセット２０に送信されている着信音データの再生を中断する。
【００６７】
ステップＳ１９において、第１制御部１８は、着信音データを送信するプロトコルを第１プロトコルから第２プロトコルに切り替え、第１記憶部１７に記憶されている着信音の再生位置に対応させて着信音データを再生する。
ステップＳ２０において、第１制御部１８は、第１近距離無線通信部１６によって、第２プロトコルにより、着信音データを送信する。その後、第１制御部１８は、第１記憶部１７に記憶されている着信音の再生位置を示す情報を消去させる。
【００６８】
図５は、本実施形態に係る携帯電話機１０がヘッドセット２０から操作信号を受信した場合の処理の流れを示すフローチャートである。
【００６９】
ステップＳ３１において、第１制御部１８は、第１プロトコルの操作信号を受信したか否かを判定する。第１制御部１８は、この判定がＹＥＳの場合、ステップＳ３２に処理を移し、この判定がＮＯの場合、ステップＳ３５に処理を移す。
【００７０】
ステップＳ３２において、第１制御部１８は、第１プロトコルの接続が確立しているか否かを判定する。第１制御部１８は、この判定がＹＥＳの場合、ステップＳ３３に処理を移し、この判定がＮＯの場合、ステップＳ３５に処理を移す。
【００７１】
ステップＳ３３において、第１制御部１８は、着信音データが送信されているか否かを判定する。第１制御部１８は、この判定がＹＥＳの場合、ステップＳ３５に処理を移し、この判定がＮＯの場合、ステップＳ３４に処理を移す。
【００７２】
ステップＳ３４において、第１制御部１８は、操作信号に係る処理、すなわち、第１プロトコルに係る処理を実行する。
【００７３】
ステップＳ３５において、第１制御部１８は、第２プロトコルの操作信号を受信したか否かを判定する。第１制御部１８は、この判定がＹＥＳの場合、ステップＳ３６に処理を移し、この判定がＮＯの場合、本フローチャートに係る処理を終了する。
【００７４】
ステップＳ３６において、第１制御部１８は、第２プロトコルの接続が確立しているか否かを判定する。第１制御部１８は、この判定がＹＥＳの場合、ステップＳ３７に処理を移し、この判定がＮＯの場合、本フローチャートに係る処理を終了する。
【００７５】
ステップＳ３７において、第１制御部１８は、操作信号に係る処理、すなわち、第２プロトコルに係る処理を実行する。
【００７６】
以上のように、本実施形態によれば、携帯電話機１０は、ヘッドセット２０から受信した着信音データの停止や早送りといった操作信号を無効とすることで、音声データの出力時に、着信を受けた場合に、ユーザに違和感を与えることなく着信音データの近距離無線通信を行うことができる。また、携帯電話機１０は、第１プロトコル及び第２プロトコルで同時に出音に係る処理を行うことによる競合を防止することができる。
【００７７】
また、携帯電話機１０は、第２プロトコルの通信接続が確立される前に、第１プロトコルにより着信音データを送信し、第２プロトコルの通信接続が確立されてから、着信音データのヘッドセット２０に送信に使用されるプロトコルを、第１プロトコルから第２プロトコルに切り替え、第２プロトコルにより着信音データを送信する。よって、携帯電話機１０は、第２プロトコルの通信接続が確立されるまでの期間についても着信音データを送信するので、無音状態を無くすことができ、結果として、ユーザに違和感を与えることなく着信音データの近距離無線通信を行うことができる。
【００７８】
以上、本発明の実施形態について説明したが、本発明は前述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【００７９】
本実施形態では、ヘッドセット２０に送信される音声データが第１記憶部１７に記憶されているものとしたが、携帯電話機１０は、無線通信部１５を介して、ワンセグ（携帯電話・移動体端末向けの１セグメント部分受信サービス）により受信する映像データに含まれる音声データをヘッドセット２０に送信させてもよい。また、携帯電話機１０は、無線通信部１５を介して、接続された音楽サイト等から得られる音声データをヘッドセット２０に送信させてもよい。すなわち、ワンセグに係る映像データに含まれる音声データや、音楽サイト等から得られる音声データをヘッドセット２０に送信している場合についても、本発明が適用される。
【００８０】
また、本実施形態では、携帯電話機１０に、音声入出力装置としてヘッドセット２０を接続させた場合について説明したが、これに限らず、本発明は、カーナビゲーション装置や、オーディオコンポ等の音声入出力装置を携帯電話機１０に接続させた場合についても適用することが可能である。
【符号の説明】
【００８１】
１  無線通信システム
１０  携帯電話機（携帯端末装置）
１１  表示部
１２  第１操作部
１３  第１出音部
１４  第１集音部
１５  無線通信部
１６  第１近距離無線通信部（近距離無線通信部）
１７  第１記憶部（記憶部）
１８  第１制御部（制御部）
２０  ヘッドセット（音声入出力装置）
２２  第２操作部
２３  第２出音部（出音部）
２４  第２集音部
２６  第２近距離無線通信部
２７  第２記憶部
２８  第２制御部
【図１】
0005449046.tif 000002
【図２】
0005449046.tif 000003
【図３】
0005449046.tif 000004
【図４】
0005449046.tif 000005
【図５】
0005449046.tif 000006